(57)【要約】【課題】ユーザが使用する携帯端末を変更した場合でも、新たなパスワード設定等を行うことなく確実にユーザの認証を行うことができる、認証システム、認証方法、及び認証プログラムを提供すること。【解決手段】認証システム１は、携帯端末３と通信する通信部２０と、携帯端末３に格納されたユーザ情報を記憶するユーザ情報ＤＢ２４ａと、ユーザ情報の内、住所、名称、若しくは電話番号の少なくとも一つを含む個人を特定可能なユーザ情報、又は、ユーザの認証以外の目的で携帯端末３に格納されたユーザ情報を、認証鍵として設定する認証鍵設定部２３ａと、通信部２０が携帯端末３から受信したユーザ情報が、認証鍵設定部２３ａにより予め設定された認証鍵と一致するか否かに基づき、ユーザの認証を行う認証部２３ｂとを備える。【選択図】図１
2013089040.tif 000002
【特許請求の範囲】
【請求項１】
携帯端末と通信する通信手段と、
前記携帯端末に格納されたユーザ情報を記憶する記憶手段と、
前記ユーザ情報の内、住所、名称、若しくは電話番号の少なくとも一つを含む個人を特定可能なユーザ情報、又は、ユーザの認証以外の目的で前記携帯端末に格納されたユーザ情報を、認証鍵として設定する認証鍵設定手段と、
前記通信手段が前記携帯端末から受信したユーザ情報が、前記認証鍵設定手段により予め設定された認証鍵と一致するか否かに基づき、ユーザの認証を行う認証手段と、
を備える認証システム。
【請求項２】
前記認証鍵設定手段は、当該認証鍵設定手段により前記認証鍵として設定されたユーザ情報の削除を制限するための削除制限情報を前記通信手段により前記携帯端末に送信させる、
請求項１に記載の認証システム。
【請求項３】
前記認証鍵設定手段は、当該認証鍵設定手段により前記認証鍵が変更された場合、当該認証鍵として設定されていたユーザ情報の削除制限を解除するための削除制限解除情報を前記通信手段により前記携帯端末に送信させる、
請求項２に記載の認証システム。
【請求項４】
前記認証鍵設定手段は、前記ユーザの認証が行われた後の状態において、前記通信手段が前記携帯端末から受信したユーザ情報が当該認証鍵設定手段により予め設定された認証鍵と一致しない場合、当該通信手段が前記携帯端末から受信したユーザ情報に認証鍵を変更する、
請求項１から３のいずれか一項に記載の認証システム。
【請求項５】
前記認証鍵設定手段は、前記ユーザの認証が行われた後の状態において、前記通信手段が前記携帯端末から受信したユーザ情報が、当該認証鍵設定手段により予め設定された認証鍵と一致しない場合、当該認証鍵設定手段により予め設定された認証鍵を前記通信手段により前記携帯端末に送信させる、
請求項１から３のいずれか一項に記載の認証システム。
【請求項６】
前記通信手段は、前記携帯端末のユーザの自宅に関連する自宅情報を前記ユーザ情報として当該携帯端末から受信し、
前記記憶手段は当該認証システムのユーザの自宅に関連する自宅情報を前記ユーザ情報として記憶し、
前記認証鍵設定手段は、前記自宅情報を前記認証鍵として設定し、
前記認証手段は、前記通信手段が前記携帯端末から受信した自宅情報が、前記認証鍵設定手段により予め設定された認証鍵と一致するか否かに基づき、ユーザの認証を行う、
請求項１から５のいずれか一項に記載の認証システム。
【請求項７】
携帯端末と通信する通信ステップと、
前記携帯端末に格納されたユーザ情報を記憶手段に記憶させる記憶ステップと、
前記ユーザ情報の内、住所、名称、若しくは電話番号の少なくとも一つを含む個人を特定可能なユーザ情報、又は、ユーザの認証以外の目的で前記携帯端末に格納されたユーザ情報を、認証鍵として設定する認証鍵設定ステップと、
前記通信ステップで前記携帯端末から受信したユーザ情報が、前記認証鍵設定ステップで予め設定された認証鍵と一致するか否かに基づき、ユーザの認証を行う認証ステップと、
を含む認証方法。
【請求項８】
請求項７に記載の方法をコンピュータに実行させる認証プログラム。
【発明の詳細な説明】
【技術分野】
【０００１】
本発明は、認証システム、認証方法、及び認証プログラムに関する。
【背景技術】
【０００２】
従来、車両に搭載されるナビゲーション装置が車両から盗難されることを防止するための、車載機盗難防止システムが提案されている。このシステムでは、エンジンオフを検知した場合、ナビゲーション装置に備えられた携帯機通信制御モジュールがアクセスキーを作成する。そして、当該作成したアクセスキーを携帯機へ送信すると共にＥＥＰＲＯＭに記憶し、ナビゲーション装置をロックする。一方、携帯機は、ナビゲーション装置から送信されたアクセスキーをメモリに記憶する。ロック解除時には、携帯機はメモリに記憶させたアクセスキーを携帯機通信制御モジュールへ送信する。携帯機通信制御モジュールは携帯機から送信されたアクセスキーとＥＥＰＲＯＭに記憶されているアクセスキーとを照合して、ロック解除をするか否かを決定する（例えば、特許文献１参照）。
【先行技術文献】
【特許文献】
【０００３】
【特許文献１】特開２００９−６４１８０号公報
【発明の概要】
【発明が解決しようとする課題】
【０００４】
しかし、上述の如き従来のシステムでは、アクセスキーを記憶した携帯機以外の携帯機では、正当なユーザか否かに関わらずナビゲーション装置のロックを解除することができなかった。例えば、アクセスキーを記憶した携帯機に換えてユーザが新たに購入した携帯機や、当該ユーザの家族が使用する他の携帯機には、アクセスキーが記憶されていないことから、ナビゲーション装置の正当なユーザであっても当該ナビゲーション装置のロックを解除できない可能性があった。
【０００５】
本発明は、上記に鑑みてなされたものであって、ユーザが使用する携帯端末を変更した場合でも、新たなパスワード設定等を行うことなく確実にユーザの認証を行うことができる、認証システム、認証方法、及び認証プログラムを提供することを目的とする。
【課題を解決するための手段】
【０００６】
上述した課題を解決し、目的を達成するために、請求項１に記載の認証システムは、携帯端末と通信する通信手段と、前記携帯端末に格納されたユーザ情報を記憶する記憶手段と、前記ユーザ情報の内、住所、名称、若しくは電話番号の少なくとも一つを含む個人を特定可能なユーザ情報、又は、ユーザの認証以外の目的で前記携帯端末に格納されたユーザ情報を、認証鍵として設定する認証鍵設定手段と、前記通信手段が前記携帯端末から受信したユーザ情報が、前記認証鍵設定手段により予め設定された認証鍵と一致するか否かに基づき、ユーザの認証を行う認証手段と、を備える。
【０００７】
また、請求項２に記載の認証システムは、請求項１に記載の認証システムにおいて、前記認証鍵設定手段は、当該認証鍵設定手段により前記認証鍵として設定されたユーザ情報の削除を制限するための削除制限情報を前記通信手段により前記携帯端末に送信させる。
【０００８】
また、請求項３に記載の認証システムは、請求項２に記載の認証システムにおいて、前記認証鍵設定手段は、当該認証鍵設定手段により前記認証鍵が変更された場合、当該認証鍵として設定されていたユーザ情報の削除制限を解除するための削除制限解除情報を前記通信手段により前記携帯端末に送信させる。
【０００９】
また、請求項４に記載の認証システムは、請求項１から３のいずれか一項に記載の認証システムにおいて、前記認証鍵設定手段は、前記ユーザの認証が行われた後の状態において、前記通信手段が前記携帯端末から受信したユーザ情報が当該認証鍵設定手段により予め設定された認証鍵と一致しない場合、当該通信手段が前記携帯端末から受信したユーザ情報に認証鍵を変更する。
【００１０】
また、請求項５に記載の認証システムは、請求項１から３のいずれか一項に記載の認証システムにおいて、前記認証鍵設定手段は、前記ユーザの認証が行われた後の状態において、前記通信手段が前記携帯端末から受信したユーザ情報が、当該認証鍵設定手段により予め設定された認証鍵と一致しない場合、当該認証鍵設定手段により予め設定された認証鍵を前記通信手段により前記携帯端末に送信させる。
【００１１】
また、請求項６に記載の認証システムは、請求項１から５のいずれか一項に記載の認証システムにおいて、前記通信手段は、前記携帯端末のユーザの自宅に関連する自宅情報を前記ユーザ情報として当該携帯端末から受信し、前記記憶手段は当該認証システムのユーザの自宅に関連する自宅情報を前記ユーザ情報として記憶し、前記認証鍵設定手段は、前記自宅情報を前記認証鍵として設定し、前記認証手段は、前記通信手段が前記携帯端末から受信した自宅情報が、前記認証鍵設定手段により予め設定された認証鍵と一致するか否かに基づき、ユーザの認証を行う。
【００１２】
また、請求項７に記載の認証方法は、携帯端末と通信する通信ステップと、前記携帯端末に格納されたユーザ情報を記憶手段に記憶させる記憶ステップと、前記ユーザ情報の内、住所、名称、若しくは電話番号の少なくとも一つを含む個人を特定可能なユーザ情報、又は、ユーザの認証以外の目的で前記携帯端末に格納されたユーザ情報を、認証鍵として設定する認証鍵設定ステップと、前記通信ステップで前記携帯端末から受信したユーザ情報が、前記認証鍵設定ステップで予め設定された認証鍵と一致するか否かに基づき、ユーザの認証を行う認証ステップと、を含む。
【００１３】
また、請求項８に記載の認証プログラムは、請求項７に記載の方法をコンピュータに実行させる。
【発明の効果】
【００１４】
請求項１に記載の認証システム、請求項７に記載の認証方法、及び請求項８に記載の認証プログラムによれば、認証鍵設定手段が、ユーザ情報の内、住所、名称、若しくは電話番号の少なくとも一つを含む個人を特定可能なユーザ情報、又は、ユーザの認証以外の目的で携帯端末に格納されたユーザ情報を認証鍵として設定し、認証手段が、通信手段が携帯端末から受信したユーザ情報が認証鍵設定手段により予め設定された認証鍵と一致するか否かに基づきユーザの認証を行うので、ユーザが使用する携帯端末を変更した場合でも、当該ユーザ固有のユーザ情報を用いて認証鍵の設定を行うことができ、ユーザ自身がパスワード設定等を行うことなく確実にユーザの認証を行うことができる。
【００１５】
請求項２に記載の認証システムによれば、認証鍵設定手段は、当該認証鍵設定手段により認証鍵として設定されたユーザ情報の削除を制限するための削除制限情報を通信手段により携帯端末に送信させるので、認証鍵として用いられるユーザ情報が誤って携帯端末から削除されることを防止でき、確実にユーザの認証を行うことができる。
【００１６】
請求項３に記載の認証システムによれば、認証鍵設定手段は、当該認証鍵設定手段により認証鍵が変更された場合、認証鍵として設定されていたユーザ情報の削除制限を解除するための削除制限解除情報を通信手段により携帯端末に送信させるので、認証鍵として用いられなくなったユーザ情報をユーザが任意に削除可能とすることができる。
【００１７】
請求項４に記載の認証システムによれば、認証鍵設定手段は、ユーザの認証が行われた後の状態において、通信手段が携帯端末から受信したユーザ情報が認証鍵設定手段により予め設定された認証鍵と一致しない場合、当該通信手段が携帯端末から受信したユーザ情報に認証鍵を変更するので、携帯端末に格納されているユーザ情報が変更された場合であっても、当該変更後のユーザ情報に認証鍵を一致させることができ、ユーザ自身がパスワードの変更等を行うことなく容易に認証鍵の更新を行うことができる。
【００１８】
請求項５に記載の認証システムによれば、認証鍵設定手段は、ユーザの認証が行われた後の状態において、通信手段が携帯端末から受信したユーザ情報が認証鍵設定手段により予め設定された認証鍵と一致しない場合、認証鍵設定手段により予め設定された認証鍵を通信手段により携帯端末に送信させるので、認証鍵が変更された場合であっても、当該変更後の認証鍵に携帯端末のユーザ情報を一致させることができ、ユーザ自身がパスワードの変更等を行うことなく容易に認証鍵の更新を行うことができる。
【００１９】
請求項６に記載の認証システムによれば、通信手段は、携帯端末のユーザの自宅に関連する自宅情報をユーザ情報として当該携帯端末から受信し、ユーザ情報ＤＢは認証システムのユーザの自宅に関連する自宅情報をユーザ情報として記憶し、認証鍵設定手段は、自宅情報を認証鍵として設定し、認証手段は、通信手段が携帯端末から受信した自宅情報が、認証鍵設定手段により予め設定された認証鍵と一致するか否かに基づきユーザの認証を行うので、ユーザが使用する携帯端末を変更した場合でも、当該ユーザ個人を特定可能な自宅情報を用いて認証鍵の設定を行うことができ、ユーザ自身がパスワード設定等を行うことなく確実にユーザの認証を行うことができる。
【図面の簡単な説明】
【００２０】
【図１】実施の形態に係る認証システムを例示するブロック図である。
【図２】認証鍵設定処理のフローチャートである。
【図３】認証処理のフローチャートである。
【発明を実施するための形態】
【００２１】
以下、本発明に係る認証システム、認証方法、及び認証プログラムの実施の形態について図面を参照しつつ詳細に説明する。ただし、これら実施の形態によって本発明が限定されるものではない。
【００２２】
（構成）
最初に、実施の形態に係る認証システムの構成について説明する。図１は、本実施の形態に係る認証システムを例示するブロック図である。図１に示すように、認証システム１は、認証装置２と、携帯端末３とを備えている。
【００２３】
（構成−認証装置）
認証装置２は、通信部２０、操作部２１、ディスプレイ２２、制御部２３、及び、データ記録部２４を備えている。
【００２４】
（構成−認証装置−通信部）
通信部２０は、携帯端末３との間で無線又は有線にて各種情報の通信を行うための通信手段であり、公知の通信装置を用いて構成することができる。
【００２５】
（構成−認証装置−操作部）
操作部２１は、ユーザによる操作入力を受け付ける操作手段である。この操作部２１の具体的な構成は任意であり、例えば、ディスプレイ２２の前面に設けたタッチパネル、押しボタン、リモートコントローラの如き遠隔操作手段、あるいは、音声入力を受け付けるマイクの如き音声認識手段を用いて操作部２１を構成することができる。
【００２６】
（構成−認証装置−ディスプレイ）
ディスプレイ２２は、制御部２３の制御に基づいて各種の画像を表示する表示手段である。なお、このディスプレイ２２の具体的な構成は任意であり、公知の液晶ディスプレイや有機ＥＬディスプレイの如きフラットパネルディスプレイを使用することができる。
【００２７】
（構成−認証装置−制御部）
制御部２３は、認証装置２を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（後述する携帯端末３の制御部３１についても同じ）。特に、実施の形態に係る認証プログラムは、任意の記録媒体又はネットワークを介して認証装置２にインストールされることで、制御部２３の各部を実質的に構成する。
【００２８】
この制御部２３は、機能概念的に、認証鍵設定部２３ａ、及び認証部２３ｂを備えている。認証鍵設定部２３ａは、ユーザの認証のための認証鍵を設定する認証鍵設定手段である。認証部２３ｂは、ユーザの認証を行う認証手段である。これらの制御部２３の構成要素によって実行される処理の詳細については後述する。
【００２９】
（構成−認証装置−データ記録部）
データ記録部２４は、認証装置２の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる（後述する携帯端末３のデータ記録部３２についても同じ）。
【００３０】
このデータ記録部２４は、ユーザ情報データベース２４ａ（以下、データベースを「ＤＢ」と称する）を備えている。ユーザ情報ＤＢ２４ａは、通信部２０が携帯端末３から受信したユーザ情報を記憶する記憶手段である。ここで「ユーザ情報」とは、携帯端末３に格納されている情報の内、ユーザに関連する情報を意味する。このユーザ情報としては、例えば、住所、名称、若しくは電話番号の少なくとも一つを含む個人を特定可能な情報（すなわちユーザの自宅に関連する自宅情報）、又はユーザの認証以外の目的で携帯端末３に格納された情報（例えば電話帳データ、スケジュールデータ、メール送受信データ、写真データ等）を用いることができる。以下では、自宅情報をユーザ情報として用いる場合を例として説明する。
【００３１】
（構成−携帯端末）
携帯端末３は、通信部３０、制御部３１、及び、データ記録部３２を備えている。
【００３２】
（構成−携帯端末−通信部）
通信部３０は、認証装置２との間で無線又は有線にて各種情報の送受信を行うための通信手段であり、公知の通信装置を用いて構成することができる。
【００３３】
（構成−携帯端末−制御部）
制御部３１は、携帯端末３を制御する制御手段である。この制御部３１によって実行される処理の詳細については後述する。
【００３４】
（構成−携帯端末−データ記録部）
データ記録部３２は、携帯端末３の動作に必要なプログラム及び各種のデータを記録する記録手段である。このデータ記録部３２には、自宅情報等のユーザ情報が格納されている。
【００３５】
（処理）
次に、このように構成された認証システム１によって実行される処理について説明する。認証システム１によって実行される処理は、ユーザの認証に用いる認証鍵を設定するための認証鍵設定処理と、ユーザの認証を行う認証処理とに大別される。以下、認証鍵設定処理と認証処理とのそれぞれについて説明する。
【００３６】
（処理−認証鍵設定処理）
図２は、認証鍵設定処理のフローチャートである（以下の各処理の説明ではステップを「Ｓ」と略記する）。この認証鍵設定処理は、例えば、後述する認証処理においてユーザが認証されたことにより認証装置２が正常に起動している状態において、通信部２０、３０を介して認証装置２と携帯端末３との通信が確立され、認証鍵設定処理を開始すべき旨の指示入力が操作部２１により受け付けられた場合に起動される。
【００３７】
認証鍵設定処理の起動後、認証鍵設定部２３ａは、通信部２０によりユーザ情報として自宅情報を携帯端末３から受信させる（ＳＡ１）。例えば認証鍵設定部２３ａは、自宅情報のリクエスト信号を通信部２０を介して携帯端末３に送信する。通信部３０を介して自宅情報のリクエスト信号を受信した携帯端末３の制御部３１は、例えば電話帳に自宅情報として格納されている住所、名称、若しくは電話番号や、携帯端末３にインストールされているアプリケーションに自宅情報として登録されている住所、名称、若しくは電話番号等をデータ記録部３２から取得し、通信部３０を介して認証装置２に送信する。このように送信された自宅情報を、認証装置２の通信部２０が受信する。
【００３８】
次に認証鍵設定部２３ａは、ユーザの認証を行う際に用いる認証鍵が設定されているか否かを判定する（ＳＡ２）。すなわち認証鍵設定部２３ａはユーザ情報ＤＢ２４ａを参照し、認証鍵として設定された自宅情報がユーザ情報ＤＢ２４ａに格納されているか否かを判定する。例えば、認証鍵として設定されていることを示すフラグが付された自宅情報がユーザ情報ＤＢ２４ａに格納されている場合、認証鍵設定部２３ａは、ユーザの認証を行う際に用いる認証鍵が設定されていると判定する。
【００３９】
その結果、ユーザの認証を行う際に用いる認証鍵が設定されていない場合（ＳＡ２、Ｎｏ）、例えばユーザ情報ＤＢ２４ａに格納されている自宅情報に認証鍵として設定されていることを示すフラグが付されていない場合、認証鍵設定部２３ａは、認証装置２のユーザ情報ＤＢ２４ａから自宅情報を取得する（ＳＡ３）。
【００４０】
続いて認証鍵設定部２３ａは、ＳＡ１で携帯端末３から受信した自宅情報が、ＳＡ３でユーザ情報ＤＢ２４ａから取得した自宅情報と一致するか否かを判定する（ＳＡ４）。例えば認証鍵設定部２３ａは、ＳＡ１で携帯端末３から受信した自宅情報に含まれる住所、名称、又は電話番号の少なくとも一つが、ＳＡ３でユーザ情報ＤＢ２４ａから取得した自宅情報に含まれる住所、名称、又は電話番号と一致する場合、ＳＡ１で携帯端末３から受信した自宅情報が、ＳＡ３でユーザ情報ＤＢ２４ａから取得した自宅情報と一致すると判定する。
【００４１】
その結果、ＳＡ１で携帯端末３から受信した自宅情報が、ＳＡ３でユーザ情報ＤＢ２４ａから取得した自宅情報と一致しない場合（ＳＡ４、Ｎｏ）、認証鍵設定部２３ａは、ＳＡ１で携帯端末３から受信した自宅情報とＳＡ３でユーザ情報ＤＢ２４ａから取得した自宅情報との両情報をディスプレイ２２に表示させる（ＳＡ５）。これと共に、認証鍵設定部２３ａは、いずれか一方の自宅情報の選択を促すメッセージをディスプレイ２２に表示させる。
【００４２】
続いて認証鍵設定部２３ａは、ＳＡ５でディスプレイ２２に表示させた自宅情報のいずれか一方が選択されるまで待機する（ＳＡ６、Ｎｏ）。そして、ＳＡ５でディスプレイ２２に表示させた自宅情報のいずれか一方が選択された場合（ＳＡ６、Ｙｅｓ）、すなわちＳＡ１で携帯端末３から受信した自宅情報、又はＳＡ３でユーザ情報ＤＢ２４ａから取得した自宅情報のいずれか一方を選択する旨の操作入力が操作部２１により受け付けられた場合、認証鍵設定部２３ａは、選択された自宅情報により、選択されなかった自宅情報を更新する（ＳＡ７）。例えば、ＳＡ１で携帯端末３から受信した自宅情報を選択する旨の操作入力が操作部２１により受け付けられた場合、認証鍵設定部２３ａは、ＳＡ１で携帯端末３から受信した自宅情報により、ユーザ情報ＤＢ２４ａに格納されている自宅情報を更新する。また、ＳＡ３でユーザ情報ＤＢ２４ａから取得した自宅情報を選択する旨の操作入力が操作部２１により受け付けられた場合、認証鍵設定部２３ａは、ＳＡ３でユーザ情報ＤＢ２４ａから取得した自宅情報を通信部２０により携帯端末３に送信させる。この場合、携帯端末３の制御部３１は、通信部３０を介して受信した自宅情報により、携帯端末３のデータ記録部３２に格納されている自宅情報を更新する。これにより、ユーザ情報ＤＢ２４ａに格納されている自宅情報と携帯端末３のデータ記録部３２に格納されている自宅情報とが一致することとなる。
【００４３】
ＳＡ４において、ＳＡ１で携帯端末３から受信した自宅情報が、ＳＡ３でユーザ情報ＤＢ２４ａから取得した自宅情報と一致する場合（ＳＡ４、Ｙｅｓ）、又はＳＡ７の処理の後、認証鍵設定部２３ａは、ユーザ情報ＤＢ２４ａに格納されている自宅情報を認証鍵として設定する（ＳＡ８）。例えば認証鍵設定部２３ａは、ユーザ情報ＤＢ２４ａに格納されている自宅情報に、認証鍵として設定されていることを示すフラグを付与する。
【００４４】
続いて認証鍵設定部２３ａは、ＳＡ８で認証鍵として設定した自宅情報の削除を制限するための削除制限情報を通信部２０により携帯端末３に送信させる（ＳＡ９）。削除制限情報を受信した携帯端末３の制御部３１は、認証鍵として設定された自宅情報（すなわち携帯端末３のデータ記録部３２に格納されている自宅情報）の削除を制限するために、例えば当該自宅情報を保護する旨のフラグを当該自宅情報に付与する。その後、制御部２３は認証鍵設定処理を終了する。
【００４５】
また、ＳＡ２において、ユーザの認証を行う際に用いる認証鍵が設定されている場合（ＳＡ２、Ｙｅｓ）、例えばユーザ情報ＤＢ２４ａに格納されている自宅情報に認証鍵として設定されていることを示すフラグが付されている場合、認証鍵設定部２３ａは、ＳＡ１で携帯端末３から受信した自宅情報が、認証鍵として設定されている自宅情報と一致するか否かを判定する（ＳＡ１０）。
【００４６】
その結果、ＳＡ１で携帯端末３から受信した自宅情報が、認証鍵として設定されている自宅情報と一致する場合（ＳＡ１０、Ｙｅｓ）、携帯端末３における自宅情報に変更がなく、引き続き認証鍵として用いることが可能と考えられることから、認証鍵を変更することなく制御部２３は認証鍵設定処理を終了する。
【００４７】
一方、ＳＡ１で携帯端末３から受信した自宅情報が、認証鍵として設定されている自宅情報と一致しない場合（ＳＡ１０、Ｎｏ）、認証鍵設定部２３ａは、ＳＡ１で携帯端末３から受信した自宅情報と、認証鍵として設定されている自宅情報とを、ディスプレイ２２に表示させる（ＳＡ１１）。これと共に、認証鍵設定部２３ａは、ＳＡ１で携帯端末３から受信した自宅情報、又は認証鍵として設定されている自宅情報のいずれか一方の選択を促すメッセージをディスプレイ２２に表示させる。
【００４８】
続いて認証鍵設定部２３ａは、操作部２１を介した操作入力により、ＳＡ１で携帯端末３から受信した自宅情報が選択されたか否かを判定する（ＳＡ１２）。その結果、ＳＡ１で携帯端末３から受信した自宅情報が選択された場合（ＳＡ１２、Ｙｅｓ）、認証鍵設定部２３ａは、ＳＡ１で携帯端末３から受信した自宅情報に認証鍵を変更する（ＳＡ１３）。すなわち認証鍵設定部２３ａは、ＳＡ１で携帯端末３から受信した自宅情報により、ユーザ情報ＤＢ２４ａに格納されている自宅情報を更新し、当該更新後の自宅情報に認証鍵として設定されていることを示すフラグを付与する。これにより、認証鍵と携帯端末３のデータ記録部３２に格納されている自宅情報とが一致することとなる。
【００４９】
続いて認証鍵設定部２３ａは、ＳＡ１３における変更前に認証鍵として設定されていたユーザ情報の削除制限を解除するための削除制限解除情報を通信部２０により携帯端末３に送信させる（ＳＡ１４）。削除制限解除情報を受信した携帯端末３の制御部３１は、認証鍵として設定されていた自宅情報（すなわち携帯端末３のデータ記録部３２に格納されている自宅情報）の削除制限を解除するために、例えば当該自宅情報を保護する旨のフラグを当該自宅情報から外す。
【００５０】
一方、ＳＡ１で携帯端末３から受信した自宅情報が選択されなかった場合（ＳＡ１２、Ｎｏ）、すなわち認証鍵として設定されている自宅情報が選択された場合、認証鍵設定部２３ａは、認証鍵として設定されている自宅情報を通信部２０により携帯端末３に送信させる（ＳＡ１５）。この場合、携帯端末３の制御部３１は、通信部３０を介して受信した自宅情報により、携帯端末３のデータ記録部３２に格納されている自宅情報を更新する。これにより、認証鍵と携帯端末３のデータ記録部３２に格納されている自宅情報とが一致することとなる。
【００５１】
ＳＡ１４又はＳＡ１５の処理の後、認証鍵設定部２３ａは、認証鍵として設定されている自宅情報の削除を制限するための削除制限情報を通信部２０により携帯端末３に送信させる（ＳＡ９）。
【００５２】
（処理−認証処理）
次に、認証処理について説明する。図３は、認証処理のフローチャートである。認証処理は、例えば、認証装置２への電力供給が一度遮断され、その後に再度電力供給が開始された場合（例えば認証装置２からバッテリが取り外され、その後に再度バッテリが接続された場合）に起動される。
【００５３】
認証処理が開始されると、認証部２３ｂは、通信部２０によりユーザ情報として自宅情報を携帯端末３から受信させる（ＳＢ１）。例えば認証部２３ｂは、自宅情報のリクエスト信号を通信部２０を介して携帯端末３に送信する。通信部３０を介して自宅情報のリクエスト信号を受信した携帯端末３の制御部３１は、例えば電話帳に自宅情報として格納されている住所、名称、若しくは電話番号や、携帯端末３にインストールされているアプリケーションに自宅情報として登録されている住所、名称、若しくは電話番号等をデータ記録部３２から取得し、通信部３０を介して認証装置２に送信する。このように送信された自宅情報を、認証装置２の通信部２０が受信する。
【００５４】
次に認証部２３ｂは、通信部２０が携帯端末３から受信したユーザ情報が、認証鍵設定部２３ａにより予め設定された認証鍵と一致するか否かを判定する（ＳＢ２）。例えば認証部２３ｂは、通信部２０が携帯端末３から受信したユーザ情報が、認証鍵として設定されていることを示すフラグを付してユーザ情報ＤＢ２４ａに格納されている自宅情報と一致する場合に、通信部２０が携帯端末３から受信したユーザ情報が、認証鍵設定部２３ａにより予め設定された認証鍵と一致すると判定する。
【００５５】
その結果、通信部２０が携帯端末３から受信したユーザ情報が、認証鍵設定部２３ａにより予め設定された認証鍵と一致する場合（ＳＢ２、Ｙｅｓ）、正当なユーザが認証装置２に電源を投入したものとし、認証部２３ｂはユーザの認証を行う（ＳＢ３）。続いて認証部２３ｂは、認証装置２によるユーザ認証を必要とする機器（図示省略）を起動する（ＳＢ４）。これにより、ユーザは当該機器を使用することが可能となる。その後、制御部２３は認証処理を終了する。
【００５６】
一方、通信部２０が携帯端末３から受信したユーザ情報が、認証鍵設定部２３ａにより予め設定された認証鍵と一致しない場合（ＳＢ２、Ｎｏ）、正当ではないユーザが認証装置２に電源を投入したものとし、認証部２３ｂはユーザの認証を行わず、認証エラーである旨をディスプレイ２２に表示させる（ＳＢ５）。その後、制御部２３は認証処理を終了する。この場合、認証部２３ｂは認証装置２によるユーザ認証を必要とする機器を起動しないため、ユーザは当該機器を使用することができない。
【００５７】
（効果）
このように実施の形態によれば、認証鍵設定部２３ａが、ユーザ情報の内、住所、名称、若しくは電話番号の少なくとも一つを含む個人を特定可能なユーザ情報、又は、ユーザの認証以外の目的で携帯端末３に格納されたユーザ情報を認証鍵として設定し、認証部２３ｂが、通信部２０が携帯端末３から受信したユーザ情報が認証鍵設定部２３ａにより予め設定された認証鍵と一致するか否かに基づきユーザの認証を行うので、ユーザが使用する携帯端末３を変更した場合でも、当該ユーザ固有のユーザ情報を用いて認証鍵の設定を行うことができ、ユーザ自身がパスワード設定等を行うことなく確実にユーザの認証を行うことができる。
【００５８】
また、認証鍵設定部２３ａは、当該認証鍵設定部２３ａにより認証鍵として設定されたユーザ情報の削除を制限するための削除制限情報を通信部２０により携帯端末３に送信させるので、認証鍵として用いられるユーザ情報が誤って携帯端末３から削除されることを防止でき、確実にユーザの認証を行うことができる。
【００５９】
また、認証鍵設定部２３ａは、当該認証鍵設定部２３ａにより認証鍵が変更された場合、認証鍵として設定されていたユーザ情報の削除制限を解除するための削除制限解除情報を通信部２０により携帯端末３に送信させるので、認証鍵として用いられなくなったユーザ情報をユーザが任意に削除可能とすることができる。
【００６０】
また、認証鍵設定部２３ａは、ユーザの認証が行われた後の状態において、通信部２０が携帯端末３から受信したユーザ情報が認証鍵設定部２３ａにより予め設定された認証鍵と一致しない場合、当該通信部２０が携帯端末３から受信したユーザ情報に認証鍵を変更するので、携帯端末３に格納されているユーザ情報が変更された場合であっても、当該変更後のユーザ情報に認証鍵を一致させることができ、ユーザ自身がパスワードの変更等を行うことなく容易に認証鍵の更新を行うことができる。
【００６１】
また、認証鍵設定部２３ａは、ユーザの認証が行われた後の状態において、通信部２０が携帯端末３から受信したユーザ情報が認証鍵設定部２３ａにより予め設定された認証鍵と一致しない場合、認証鍵設定部２３ａにより予め設定された認証鍵を通信部２０により携帯端末３に送信させるので、認証鍵が変更された場合であっても、当該変更後の認証鍵に携帯端末３のユーザ情報を一致させることができ、ユーザ自身がパスワードの変更等を行うことなく容易に認証鍵の更新を行うことができる。
【００６２】
また、通信部２０は、携帯端末３のユーザの自宅に関連する自宅情報をユーザ情報として当該携帯端末３から受信し、ユーザ情報ＤＢ２４ａは認証システム１のユーザの自宅に関連する自宅情報をユーザ情報として記憶し、認証鍵設定部２３ａは、自宅情報を認証鍵として設定し、認証部２３ｂは、通信部２０が携帯端末３から受信した自宅情報が、認証鍵設定部２３ａにより予め設定された認証鍵と一致するか否かに基づきユーザの認証を行うので、ユーザが使用する携帯端末３を変更した場合でも、当該ユーザ個人を特定可能な自宅情報を用いて認証鍵の設定を行うことができ、ユーザ自身がパスワード設定等を行うことなく確実にユーザの認証を行うことができる。
【００６３】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６４】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００６５】
（認証システムの構成について）
また、上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。例えば、認証装置２の制御部２３やデータ記録部２４、あるいは携帯端末３の制御部３１やデータ記録部３２の一部を、ネットワークを介して認証装置２や携帯端末３と相互に通信可能に接続されたセンター装置（図示省略）に配置してもよい。
【００６６】
（認証鍵設定処理について）
上述の実施の形態では、自宅情報は、住所、名称、若しくは電話番号の少なくとも一つを含む個人を特定可能な情報であると説明したが、住所、名称、若しくは電話番号のいずれか一つでもよく、あるいはこれらの任意の組み合わせでもよい。
【００６７】
また、上述の実施の形態では、認証鍵に設定されるユーザ情報として自宅情報を用いる場合を例として説明したが、自宅情報とユーザの認証以外の目的で携帯端末３に格納された情報（例えば電話帳データ、スケジュールデータ、メール送受信データ、写真データ等）との任意の組み合わせをユーザ情報として用いてもよい。
【００６８】
また、上述の実施の形態では、図２のＳＡ９において、認証鍵設定部２３ａは、ＳＡ８で認証鍵として設定した自宅情報の削除を制限するための削除制限情報を通信部２０により携帯端末３に送信させ（ＳＡ９）、ＳＡ１４において、認証鍵設定部２３ａは、ＳＡ１３における変更前に認証鍵として設定されていたユーザ情報の削除制限を解除するための削除制限解除情報を通信部２０により携帯端末３に送信させる（ＳＡ１４）と説明したが、これらの処理を省略してもよい。
【符号の説明】
【００６９】
１  認証システム
２  認証装置
３  携帯端末
２０、３０  通信部
２１  操作部
２２  ディスプレイ
２３、３１  制御部
２３ａ  認証鍵設定部
２３ｂ  認証部
２４、３２  データ記録部
２４ａ  ユーザ情報ＤＢ
【図１】
2013089040.tif 000003
【図２】
2013089040.tif 000004
【図３】
2013089040.tif 000005